(57)【要約】【課題】作業者が容易に使用することができるエレベーターかご下梯子装置を得る。【解決手段】かご１の下部に設けられ、かご１からピット５の床５１に向かって延びる伸長位置と伸長位置よりも長手方向についての寸法が短い収縮位置との間で長手方向について伸縮する一対の梯子案内レール２と、一対の梯子案内レール２を伸縮させるレール駆動装置３と、一対の梯子案内レール２に案内される梯子装置４とを備え、梯子装置４は、一対の梯子案内レール２のそれぞれにそれぞれが案内される一対のロープ４１と、一対のロープ４１に渡って設けられ、ロープ４１の長手方向について間隔をおいて配置された複数の横部材４２とを有している。【選択図】図１
2019018925.tif 000002
【特許請求の範囲】
【請求項１】
かごに設けられ、前記かごからピットの床に向かって延びる伸長位置と前記伸長位置よりも長手方向についての寸法が短い収縮位置との間で前記長手方向について伸縮する一対の梯子案内レールと、
一対の前記梯子案内レールを伸縮させるレール駆動装置と、
一対の前記梯子案内レールに案内される梯子装置と
を備えているエレベーターかご下梯子装置。
【請求項２】
前記梯子案内レールの下端部が前記床に達していることを検出するレール検出装置をさらに備え、
前記レール駆動装置は、前記梯子案内レールの下端部が前記床に達していることを前記レール検出装置が検出した場合に、駆動が停止する請求項１に記載のエレベーターかご下梯子装置。
【請求項３】
前記梯子案内レールの下端部が前記床に達していることを検出するレール検出装置と、
前記かごの昇降を制御する制御装置と
をさらに備え、
前記制御装置は、前記梯子案内レールの下端部が前記床に達していることを前記レール検出装置が検出した場合に、前記かごの降下を停止させる請求項１に記載のエレベーターかご下梯子装置。
【請求項４】
前記制御装置は、前記レール駆動装置が駆動している場合に、前記かごの昇降を停止させる請求項３に記載のエレベーターかご下梯子装置。
【請求項５】
前記かごの昇降を制御する制御装置をさらに備え、
前記制御装置は、前記梯子案内レールの位置を前記伸長位置とした場合であって前記梯子案内レールの下端部が前記床に達する場合における前記かごの位置に、前記梯子案内レールの位置を前記収縮位置にしたままで前記かごを移動させる請求項１に記載のエレベーターかご下梯子装置。
【請求項６】
前記かごに設けられ、前記梯子装置の送り出しおよび巻き取りを行う梯子駆動装置をさらに備えた請求項１から請求項５までの何れか一項に記載のエレベーターかご下梯子装置。
【請求項７】
前記梯子装置は、一対の前記梯子案内レールのそれぞれにそれぞれが案内される一対のロープと、一対の前記ロープに渡って設けられ、前記ロープの長手方向について間隔をおいて配置された複数の横部材とを有している請求項１から請求項６までの何れか一項に記載のエレベーターかご下梯子装置。
【発明の詳細な説明】
【技術分野】
【０００１】
この発明は、作業者が乗場からピットに出入りする際に用いられるエレベーターかご下梯子装置に関する。
【背景技術】
【０００２】
従来、一対のロープと、一対のロープに渡って設けられた複数の足板とを備え、それぞれのロープの上端部がかごの下部に接続され、複数の足板がロープの長手方向に並べて配置され、使用されない場合にはかごの下部に設けられたエプロンの一部として機能し、使用される場合には、エプロン本体から切り離されて、かごの下部からピットの床に向かって延びるエレベーターかご下梯子装置が知られている（例えば、特許文献１参照）。
【先行技術文献】
【特許文献】
【０００３】
【特許文献１】特開２０１５−２１７９９０号公報
【発明の概要】
【発明が解決しようとする課題】
【０００４】
しかしながら、ロープがかごの下部を支点として揺れた場合に、作業者がエレベーターかご下梯子装置を使用することが難しい
という問題点があった。
【０００５】
この発明は、上述のような課題を解決するためになされたものであり、その目的は、作業者が容易に使用することができるエレベーターかご下梯子装置を提供するものである。
【課題を解決するための手段】
【０００６】
この発明に係るエレベーターかご下梯子装置は、かごに設けられ、かごからピットの床に向かって延びる伸長位置と伸長位置よりも長手方向についての寸法が短い収縮位置との間で長手方向について伸縮する一対の梯子案内レールと、一対の梯子案内レールを伸縮させるレール駆動装置と、一対の梯子案内レールに案内される梯子装置とを備えている。
【発明の効果】
【０００７】
この発明に係るエレベーターかご下梯子装置によれば、梯子装置が梯子案内レールに案内されるので、梯子装置がかごの下部を支点として揺れることが防止される。これにより、作業者がエレベーターかご下梯子装置を容易に使用することができる。
【図面の簡単な説明】
【０００８】
【図１】この発明の実施の形態１に係るエレベーターかご下梯子装置を示す側面図である。
【図２】図１のエレベーターかご下梯子装置を示すブロック図である。
【図３】図１の梯子案内レールが変位した状態を示す図である。
【図４】図１の梯子案内レールおよび梯子装置を示す正面図である。
【図５】図４のＶ−Ｖ線に沿った矢視断面図である。
【図６】図４のＶＩ−ＶＩ線に沿った矢視断面図である。
【発明を実施するための形態】
【０００９】
実施の形態１．
図１はこの発明の実施の形態１に係るエレベーターかご下梯子装置を示す側面図、図２は図１のエレベーターかご下梯子装置を示すブロック図である。図において、エレベーターかご下梯子装置は、かご１の下部に設けられた伸縮可能な一対の梯子案内レール２と、一対の梯子案内レール２のそれぞれを伸縮させるレール駆動装置３と、一対の梯子案内レール２に案内される梯子装置４とを備えている。
【００１０】
図３は図１の梯子案内レール２が変位した状態を示す図である。図１および図３に示すように、梯子案内レール２は、かご１からピット５の床５１に向かって延びる伸長位置と、伸長位置よりも長手方向についての寸法が短い収縮位置との間で長手方向について伸縮する。梯子案内レール２の長手方向は、高さ方向と一致している。梯子案内レール２は、梯子案内レール２の位置が収縮位置である場合に、かご１の下部に収納される。これにより、梯子案内レール２の位置が収縮位置である場合であって、かご１が昇降する場合に、梯子案内レール２が昇降路に設置された部材に衝突することが防止される。
【００１１】
図４は図１の梯子案内レール２および梯子装置４を示す正面図、図５は図４のＶ−Ｖ線に沿った矢視断面図、図６は図４のＶＩ−ＶＩ線に沿った矢視断面図である。梯子装置４は、一対の梯子案内レール２のそれぞれに案内される一対のロープ４１と、一対のロープ４１に渡って設けられ、ロープ４１の長手方向に間隔をおいて配置された複数の横部材４２と、一対のロープ４１のそれぞれを一対の梯子案内レール２に対して固定する図示しない固定部材とを有している。
【００１２】
一対の梯子案内レール２のそれぞれの上端部は、梯子装置４が挿入可能となるように、断面Ｌ字形状に形成されている。一対の梯子案内レール２のそれぞれの上端部以外の部分は、梯子装置４を案内するように、断面コ字形状となっている。一対の梯子案内レール２のそれぞれの内側にロープ４１が１つずつ配置される。
【００１３】
図１および図２に示すように、このエレベーターかご下梯子装置は、かご１の下部に設けられた梯子駆動装置６をさらに備えている。梯子駆動装置６は、梯子装置４の送り出しおよび巻き取りを行うようになっている。梯子駆動装置６は、梯子装置４の送り出しおよび巻き取りを制動する図示しないブレーキ装置を有している。梯子装置４は、梯子駆動装置６が駆動することによって、かご１の下部に収納される巻取位置と、かご１の下部から梯子案内レール２に沿って下方に向かって突出する送出位置との間で変位する。
【００１４】
また、このエレベーターかご下梯子装置は、ピット５の床５１に設けられたレール検出装置７と、レール駆動装置３の駆動、梯子駆動装置６の駆動およびかご１を昇降させる図示しない巻上機の駆動を制御する制御装置８とをさらに備えている。レール検出装置７は、梯子案内レール２の下端部が床５１に達しているか否かを検出する。レール検出装置７の検出結果は、制御装置８に入力されるようになっている。
【００１５】
制御装置８は、梯子案内レール２が伸長するようにレール駆動装置３を駆動させている場合であって、梯子案内レール２の下端部がピット５の床５１に達していることをレール検出装置７が検出した場合に、レール駆動装置３の駆動を停止させる。
【００１６】
また、制御装置８は、かご１が降下している場合であって、梯子案内レール２の下端部が床５１に達していることをレール検出装置７が検出した場合に、巻上機の駆動を停止させる。これにより、かご１の降下が停止される。
【００１７】
また、制御装置８は、レール駆動装置３が駆動している場合に、巻上機の駆動を停止させる。これにより、レール駆動装置３が駆動している場合に、かご１の昇降が停止される。
【００１８】
次に、エレベーターかご下梯子装置の動作について説明する。作業者は、ピット内作業を行う前に、エレベーターのモードを通常運転モードからピットインモードに切り換える。通常運転モードからピットインモードへのエレベーターのモードの切換は、作業者が所持するメンテナンスコンピュータと制御装置８との間の通信によって行われる。なお、通常運転モードからピットインモードへのエレベーターのモードの切換は、これに限らず、例えば、作業者がかご操作盤を操作することによって行われてもよい。
【００１９】
エレベーターのモードがピットインモードになると、制御装置８は、レール駆動装置３を駆動させて、梯子案内レール２を収縮位置から伸長位置に変位させる。梯子案内レール２が収縮位置から伸長位置に変位して、梯子案内レール２の下端部がピット５の床５１に達した場合には、梯子案内レール２の下端部がピット５の床５１に達していることをレール検出装置７が検出する。これにより、制御装置８は、レール駆動装置３の駆動を停止させる。
【００２０】
一方、梯子案内レール２が収縮位置から伸長位置に変位した場合であって、梯子案内レール２の下端部がピット５の床５１に達していない場合には、制御装置８は、レール駆動装置３の駆動を停止させ、梯子案内レール２の下端部が床５１に達するまで巻上機を駆動させてかご１を下降させる。その後、梯子案内レール２の下端部がピット５の床５１に達した場合には、レール検出装置７は、梯子案内レール２の下端部が床５１に達していることを検出する。これにより、制御装置８は、かご１の昇降を停止させる。
【００２１】
その後、制御装置８は、梯子駆動装置６を駆動させて、梯子装置４を巻取位置から送出位置に変位させる。これにより、エレベーターかご下梯子装置を用いて作業者が乗場からピットに出入することが可能となる。ピット内作業が終了した場合には、作業者がエレベーターかご下梯子装置を用いてピット５から乗場に移動し、作業者はエレベーターのモードをピットインモードから通常運転モードに切り換える。
【００２２】
エレベーターのモードが通常運転モードとなると、制御装置８は、梯子駆動装置６を駆動させて、梯子装置４を送出位置から巻取位置に変位させ、その後、レール駆動装置３を駆動させて、梯子案内レール２を伸長位置から収縮位置に変位させる。以上により、エレベーターかご下梯子装置の動作が終了する。
【００２３】
以上説明したように、この発明の実施の形態１に係るエレベーターかご下梯子装置によれば、梯子装置４が梯子案内レール２に案内されるので、梯子装置４がかご１の下部を支点として揺れることが防止される。これにより、作業者がエレベーターかご下梯子装置を容易に使用することができる。
【００２４】
また、レール駆動装置３は、梯子案内レール２の下端部がピット５の床５１に達していることをレール検出装置７が検出した場合に、駆動が停止するので、梯子案内レール２の下端部がピット５の床５１に押し付けられることを防止することができる。これにより、梯子案内レール２の下端部が変形することを防止することができる。
【００２５】
また、制御装置８は、梯子案内レール２の下端部がピット５の床５１に達していることをレール検出装置７が検出した場合に、かご１の降下を停止させるので、梯子案内レール２の下端部がピット５の床５１に押し付けられることを防止することができる。これにより、梯子案内レール２の下端部が変形することを防止することができる。
【００２６】
また、制御装置８は、レール駆動装置３が駆動している場合に、かご１の昇降を停止させるので、梯子案内レール２の下端部がピット５の床５１に強く衝突することを防止することができる。
【００２７】
また、このエレベーターかご下梯子装置は、かご１に設けられ梯子装置４の送り出しおよび巻き取りを行う梯子駆動装置６を備えているので、作業者は、作業者自身が梯子装置４を変位させることなく、梯子装置４を容易に使用することができる。
【００２８】
また、梯子装置４は、一対の梯子案内レール２のそれぞれにそれぞれが案内される一対のロープ４１と、一対のロープ４１に渡って設けられ、ロープ４１の長手方向について間隔をおいて配置された複数の横部材４２とを有しているので、梯子装置４の構成を簡単にすることができる。
【００２９】
なお、上記実施の形態１では、梯子案内レール２を収縮位置から伸長位置に変位させた場合であって、梯子案内レール２の下端部がピット５の床５１に達していない場合に、レール駆動装置３の駆動を停止させ、梯子案内レール２の下端部がピット５の床５１に達するまで、かご１を降下させる構成について説明したが、これに限らず、例えば、梯子案内レール２の位置を伸長位置とした場合であって梯子案内レール２の下端部がピット５の床５１に達した場合におけるかご１の位置に、梯子案内レール２の位置を収縮位置にしたままでかご１を移動させる構成であってもよい。この場合、梯子案内レール２を収縮位置から伸長位置に変位させた後にかご１を下降させる必要がなくなる。
【００３０】
また、上記実施の形態１では、レール検出装置７がピット５の床５１に設けられる構成について説明したが、これに限らず、レール検出装置７が梯子案内レール２の下端部に設けられる構成であってもよい。
【符号の説明】
【００３１】
１  かご、２  梯子案内レール、３  レール駆動装置、４  梯子装置、５  ピット、６  梯子駆動装置、７  レール検出装置、８  制御装置、４１  ロープ、４２  横部材、５１  床。
【図１】
2019018925.tif 000003
【図２】
2019018925.tif 000004
【図３】
2019018925.tif 000005
【図４】
2019018925.tif 000006
【図５】
2019018925.tif 000007
【図６】
2019018925.tif 000008